(57)【要約】      （修正有）【課題】刃の研磨加工が容易で、且つ刃の切っ先が爪に侵入してしまうことを防止する爪切り器を提供する。【解決手段】端部に研磨加工し易いように別体の切断刃板８が取り付けられた第１部材と、切断刃板８との間で爪を切断するために爪受け台９を端部に有し第１部材に回動操作可能に連結された第２部材とからなり、第１部材に切断刃板８の左右端側に位置する障害壁３ａを設け、この障害壁３ａによって切断刃板８の切っ先８ａが爪に侵入することを阻止する。【選択図】図１
0003184091.tif 000002
【実用新案登録請求の範囲】
【請求項１】
凸曲面状の爪受け台を一端に形成した第１部材と、この第１部材に回動操作可能に支持されその回動操作により前記爪受け台に対して開閉動きをする一端部を有する第２部材と、この第２部材とは別体に造られこの第２部材の前記一端部に取り付けられて前記爪受け台との間で爪を切断する切断刃板と、前記第１及び第２部材の双方間に設けられ前記切断刃板の刃先が前記爪受け台に接触またはその寸前で前記第２部材の閉成方向動きを止めるストッパー機構とからなり、
前記切断刃板は、指先端の凸曲面に近似の湾曲状をなし、その刃先が前記爪受け台の凸曲面状に近似した曲線を描き、且つ前記爪受け台の前端から僅か後退した位置で爪に当たる位置関係をもち、切っ先が爪に侵入することを阻止する障害壁を前記第２部材の前記切断刃板の左右両端位置に設けてなる爪切り器。
【請求項２】
前記障害壁は、前記切断刃板の左右両端側に位置して互いに対向する壁であって、前記切断刃板が開き位置にあるときの前記刃先下端よりも上方の位置から前記爪受け台の左右端上面又はそれよりやや下方の位置までに渡る壁面を持つ形態であることを特徴とする請求項１に記載の爪切り器。
【請求項３】
前記障害壁の前端縁が前記切断刃板の左右端より所定距離前方に突出していることを特徴とする請求項１又は２に記載の爪切り器。
【考案の詳細な説明】
【技術分野】
【０００１】
本考案は、人の爪先の余剰分を切断する爪切り器に関する。
【背景技術】
【０００２】
通常、爪切り器は、二股状に連結された一対の弾性片からなり、各弾性片の先端に刃が形成してあり、その一対の刃、すなわち上刃と下刃が閉じることにより爪先を切断する構造である。この構造では、両刃先が突き合うので刃こぼれや摩耗をおこし易いし、深爪もおこし易い。これを解決するものとして特許文献１に示す構造のものが提案されている。その構造は、上刃と下刃のうち下刃が刃ではなくまな板状になっており、上刃とまな板との間で爪を切断する。この場合、まな板の先端を上刃から前方に１、２ｍｍ突き出した形状にし、切断に際してまな板の先端に指の腹を当ててストッパー作用を得ることにより爪の挿し込み長さを制限し、深爪を防止できるようにしたものである。
【先行技術文献】
【特許文献】
【０００３】
【特許文献１】特開２０１０−６９０９７号公報
【考案の概要】
【考案が解決しようとする課題】
【０００４】
刃先を爪形状に合わせた複雑形状の場合、二股状弾性片と一体の切断刃では刃先の研磨を伴う製造が困難である。また、これまでに知られた爪切り器では切断刃の切っ先が爪先に侵入することがあり、これにより爪先に切り込みができたり、肉を切ったりすることがあった。この不都合は手足の不自由な老人やその介護者によっておこり易かった。
【０００５】
本考案の目的は、刃先の形状が製造性の障害になることを防止でき、及び刃先の寿命低下を防止でき、更に深爪や爪先の異常切り込みを防止でき、更に切断に際して爪に不快な押し拡げ力が加わることを防止できる爪切り器を提供することにある。
【課題を解決するための手段】
【０００６】
本考案の爪切り器は、凸曲面状の爪受け台を一端に形成した第１部材と、この第１部材に回動操作可能に支持されその回動操作により前記爪受け台に対して開閉動きをする一端部を有する第２部材とを備える。その第２部材とは別体に造られこの第２部材の前記一端部に取り付けられて前記爪受け台との間で爪を切断する切断刃板と、前記第１及び第２部材の双方間に設けられ前記切断刃板の刃先が前記爪受け台に接触またはその寸前で前記第２部材の閉成方向動きを止めるストッパー機構とを備える。
【０００７】
前記切断刃板は、指先端の凸曲面に近似の湾曲状をなし、その刃先が前記爪受け台の凸曲面状に近似した曲線を描き、且つ前記爪受け台の前端から僅か後退した位置で爪に当たる位置関係をもち、切っ先が爪に侵入することを阻止する障害壁を前記第２部材の前記切断刃板の左右両端位置に設ける。
【考案の効果】
【０００８】
切断刃板は、三次元に展開する複雑形状であっても第２部材とは別体部品であるから刃先の研磨加工を容易になし得る。爪受け台及び刃先が爪の曲面形状に近似しているので切断時に爪に不自然な力が加わらない。爪の刃先への侵入量が爪受け台の前端により制限され深爪を防止できる。爪に切断刃板の切っ先が侵入することを障害壁によって防止できる。
【図面の簡単な説明】
【０００９】
【図１】本考案の一実施例を示す爪切り器要部の拡大斜視図
【図２】同爪切り器の縦断側面図
【図３】第１部材の要部の拡大斜視図
【図４】同爪切り器の要部の拡大平面図
【図５】図４部分の正面図
【図６】切断刃板の拡大斜視図
【図７】図４の一部を更に拡大して示す平面図
【図８】爪切断操作を説明するための拡大縦断側面図
【図９】爪先の異常切り込みを説明するための模式図
【考案を実施するための最良の形態】
【００１０】
以下、本考案の第１の実施例を図１〜図９を参照しながら説明する。この爪切り器は、短冊状の金属製の第１部材１と同じく金属製例えばアルミ製の第２部材２とを含み、この第２部材２は第１部材１に取り付けられた一対の支持板３に回動操作可能に支持してある。すなわち、この一対の支持板３を第１部材１にピン圧入等の方法で固定し、その支持板３間に支え軸４を橋渡しに固定し、この支え軸４を第２部材２に形成してある支持孔５（図２、図４）に貫通させてある。
【００１１】
この構造では、第１及び第２部材１、２の前端側（図２中左端側）が切断端側で、その後端側（図２中右端側）が握り部分であって、握り部分を上下に遠近操作することにより第２部材２が支え軸４を中心に回動し、切断端側が遠近、すなわち開閉動きをする。以後、爪切り器の側面を示した図２の状態を基準に上記の通り「前」「後」の位置表現をする。
【００１２】
前記両部材１、２間にスプリング６を配置しており、これによって切断端側に開き状態を保つ回動力を常時付与する。前記一対の支持板３は、図３に示すように第１部材１の切断端側から約１／３後方までに渡ってこの第１部材１を左右から挟む壁状をなし、爪飛散遮蔽壁を兼ねる一方、切断刃の支持作用を兼ねる。これら一対の支持板３の前端部分間に切断刃支持体７をピン圧入等の方法で固定してあり、その支持体７に切断刃板８が取り付けられる。
【００１３】
この切断刃板８は、図６に示すように前記第１部材１とは別体であって鋼板製であり、その刃先８ａが爪のアーチ形状に近似した曲線を描き、具体的には正面視上方に窪む湾曲線状なし、鋭利に研磨された後焼き入れされる。前記切断刃支持体７の正面側が切断刃取付け面７ａをなし、この面７ａは図１、図３、図４に示すように後方（握り部分方向）に窪む湾曲状、すなわち爪の望ましい切断曲線に近似した曲面に形成してあり、その刃取付け面７ａに沿うように前記切断刃板８（この段階では平板状）をその弾性力に抗して湾曲させながら密着させ、配置する。この取り付けに先んじて切断刃板８を図８に示すように刃先８ａの研磨後に予め湾曲成形しておいてもよい。研磨前に湾曲に塑性変形させておくと、刃先８ａが三次元の曲面（或いは曲線）を持つことになり、研磨加工が非常に困難になる。切断刃板８の切断刃支持体７への上記のような配置状態は、前記一対の支持板３の一部分を切断刃板８側にかしめる等により固定でき、また、切断刃板８の上方への滑り止めは、図２、図８から理解できるように、前記切断刃支持体７の切断刃取付け面７ａを僅か窪ませることで可能である。
【００１４】
前記第２部材２の切断端側には爪受け台９を一体に形成してある。この爪受け台９の上面は、図１、図５、及び図８に示すように爪Ｍを乗せたときの爪先のアーチ形状に近似した凸曲面をなし、この爪受け台９と前記切断刃板８の刃先８ａとの間で爪Ｍを挟み切断するようになっている。すなわち、第１及び第２部材１、２の握り部分を閉じ方向に操作すると切断刃板８の刃先８ａと爪受け台９との間が閉じられ、刃を持たない爪受け台９がまな板、切断刃板８が包丁の役をなして爪Ｍを切断する。このとき、爪受け台９及び刃先８ａが爪先のアーチ形状に近似した曲面及び曲線をなすため、切断に際して爪に不快な押し広げ力が加わらない。
【００１５】
切断時に刃先８ａが爪受け台９に強く当って刃こぼれや摩耗を早めないようにするためにストッパー機構を備える。このストッパー機構は、この実施例では、図２及び図４に示すように、一対の支持板３間に橋渡し固定した当接部材であるストッパーピン１０と、このストッパーピン１０が貫通するように前記第２部材２に形成したストッパー孔２ａとにより構成してある。図２、図５は、閉じ操作が行われて切断刃板８の刃先８ａが爪受け台９の上面に接触又はその寸前（爪の切断は可能）にストッパーピン１０がストッパー孔２ａの内面（ストッパー受け面）に当り、それ以上の閉じ操作を阻止した状態を示す。切断刃板８の取り付け位置は、図２、図４、図８に示すように、刃先８ａが爪受け台９の前端（左方端）より１，２ｍｍ後退した位置で爪Ｍに当る位置関係に定め、深爪を防いでいる。この爪受け台９の前端面すなわち正面９ａ（図１、図８）は、爪Ｍを爪受け台９に乗せた状態で指の腹部先端面と合致し易いように湾曲状をなす。
【００１６】
前記一対の支持板３のうち、夫々の前方端部分を、切断刃板８から前方に延出させており、この延出部分が爪の異常切り込みを防止するための障害壁３ａの役割をなす。ここで、爪の異常切り込みとは、図９に示すような現象をいう。この図９は、上下一対の切断刃Ｎを持つ従来の爪切り器による異常切り込み状況を示しており、上下切断刃間にその切断刃Ｎの切っ先Ｎａから爪Ｍが縦向き、横向き又は斜め向きに侵入させた状態を示しており、このような状態で切断操作すると、爪先端に縦、横、或いは斜め方向の切り込みが発生し、爪先に裂け目ができたり、肉を切ったりする現象をいう。
【００１７】
この実施例の爪切り器では、このような異常を阻止するために、前記一対の支持板３の前方部分に上述の障害壁３ａを形成しており、この障害壁３ａは、図１、図２、図４に示すように切断刃板８が開き位置にあるときの刃先８ａの下端よりも上方の位置から前記爪受け台９の左右端の上面まで、或いはそれよりやや下方までに垂直に渡る壁面に形成してある。この構造では、図９のように、切断刃板８の刃先８ａと爪受け台９との間に爪Ｍを刃先８ａの切っ先８ｂ側から誤って侵入させてしまうことが障害壁３ａによって阻止され、爪先は、図７に示すように障害壁３ａに案内されて刃先８ａに正面側からしか侵入できないようになる。特に、この実施例では、障害壁３ａの前端縁を爪受け台９の少なくとも左右両端の前端縁まで延出させており、切断刃板８と爪受け台９との間の側面開口を障害壁３ａにより常時塞ぎ、爪の異常切り込防止と共に爪の飛散防止にも役立つようにしている。
【００１８】
なお、上記実施例では、切断刃板８を爪受け台９に対して開閉する機構として第１部材１と第２部材２とを軸により回動操作可能に組み合わせる構成にしているが、従来の一般的爪切り器のように二股連結弾性板を第１、第２部材とし、これを梃子レバーにより回動操作する構成を採用してもよい。
【符号の説明】
【００１９】
１は第１部材、２は第２部材、２ａはストッパー孔、３は支持板、３ａは障害壁、７は切断刃支持体、８は切断刃板、８ａは刃先、８ｂは切っ先、９は爪受け台、１０はストッパーピンである。
【図１】
0003184091.tif 000003
【図２】
0003184091.tif 000004
【図３】
0003184091.tif 000005
【図４】
0003184091.tif 000006
【図５】
0003184091.tif 000007
【図６】
0003184091.tif 000008
【図７】
0003184091.tif 000009
【図８】
0003184091.tif 000010
【図９】
0003184091.tif 000011